(57)【要約】  電磁場誘導装置を開示する。この装置は、ノッチを含む可鍛性コアと、ノッチの周囲で可撓性コアの周囲に巻き付けられた導電性の巻線とを備える。絶縁性コーティングは、巻線をコアから絶縁する。この装置は導管の周囲に巻き付けられ、この導管には流体が流れ、流体を処理するために巻線を通って電流が流れる。この装置は、体の一部の周囲に配置することもでき、電流を巻線に通すことで、健康上の利益が得られる。
2018516467.tif 000002
【特許請求の範囲】
【請求項１】
前側、後側、頂部、底部、第１の縁部、第２の縁部および複数のノッチを有するシートを含むコアと、
前記コアの周囲に巻き付けられた導電性材料を含む巻線と、を含み、
前記巻線は、前記コアに沿って前記ノッチに配置され、
前記巻線は、電流が前記巻線を流れることを可能にするように電気的に連絡している、電磁場誘導装置。
【請求項２】
前記コアが金属材料を含む、請求項１に記載の装置。
【請求項３】
前記コアが鉄系材料を含む、請求項１に記載の装置。
【請求項４】
前記コアがメッシュを含む、請求項１に記載の装置。
【請求項５】
前記コアが、金属、セラミックおよびポリマーのうちの１つ以上を含む、請求項１に記載の装置。
【請求項６】
前記コアの表面上に絶縁性コーティングをさらに含む、請求項１に記載の装置。
【請求項７】
前記絶縁性コーティングは、前記導電性材料よりもコンダクタンスが低い、請求項６に記載の装置。
【請求項８】
前記絶縁性コーティングが、対角線に接続された複数の垂直線を含むように前記コアの表裏面に塗布される、請求項６に記載の装置。
【請求項９】
前記導電性材料がワイヤを含む、請求項１に記載の装置。
【請求項１０】
前記導電性材料を、第１の組の正対向ノッチにおいて前記コアの周囲に複数回にわたって直交方向に巻き付けることによって形成された第１の巻線であって、前記導電性材料が、前記コアの前部から前記コアの後部まで単一の方向に巻き付けられている、第１の巻線と、
前記導電性材料を、第２の組の正対向ノッチにおいて前記コアの周囲に複数回にわたって直交方向に巻き付けることによって形成された第２の巻線であって、前記導電性材料が、前記コアの前部から前記コアの後部まで単一の方向に巻き付けられている、第２の巻線と、をさらに含み、
前記第１の巻線および前記第２の巻線は導電接続されている、請求項１に記載の装置。
【請求項１１】
前記ノッチは、前記導電性材料が第１の巻線を形成するように構成された前記コアの縁部から延在する突起部を含み、
前記導電性材料は、前記巻線が前記コアの１つの表面のみを占めるように、整列した第１の組の受入位置の周囲に巻き付けられ、
前記導電性材料は、第２の巻線を形成し、
前記導電性材料は、前記巻線が前記コアの１つの表面のみを占めるように第２の組の正対向ノッチの周囲に巻き付けられ、
前記第１の巻線および前記第２の巻線は導電接続されている、請求項１に記載の装置。
【請求項１２】
第１の長さのワイヤを２つのノッチの周囲に第１の方向に巻き付けることによって、前記少なくとも２つのノッチの周囲に配置された前記第１の長さのワイヤと、
第２の長さのワイヤを同じ２つのワイヤ受入位置の周囲に第２の方向に巻き付けることによって、前記同じ２つのノッチの周囲に配置された前記第２の長さのワイヤと、をさらに含む、請求項１に記載の装置。
【請求項１３】
前記第１の方向が前記第２の方向に対向している、請求項１２に記載の装置。
【請求項１４】
前記第１の長さのワイヤおよび前記第２のワイヤは、いずれも連続ワイヤの一部である、請求項１２に記載の装置。
【請求項１５】
電磁場を生成するための装置であって、
複数のノッチと、
電流を導通することが可能な第１のワイヤであって、前記第１のワイヤの第１の部分を第１の組のノッチの周囲に巻き付けることによって前記第１のワイヤの前記第１の部分が前記第１の組のノッチの周囲に配置され、かつ、前記第１のワイヤの第２の部分を第２の組のワイヤ受入位置の周囲に巻き付けることによって前記第１のワイヤの前記第２の部分が第２の組のノッチの周囲に配置される、第１のワイヤと、
電流を導通することが可能な第２のワイヤであって、前記第２のワイヤの第１の部分を前記第１の組のノッチの周囲に、前記第１の組のノッチの周囲への前記第１のワイヤの巻き付けに対向する方向に巻き付けることによって、前記第２のワイヤの前記第１の部分が前記第１の組のノッチの周囲に配置され、かつ、前記第２のワイヤの第２の部分を前記第２の組のノッチの周囲に、前記第２の組のノッチの周囲への前記第１のワイヤの巻き付けに対向する方向に巻き付けることによって、前記第２のワイヤの前記第２の部分が前記第２の組のノッチの周囲に配置される、第２のワイヤと、を含む、装置。
【請求項１６】
前記第１のワイヤおよび前記第２のワイヤは、いずれも連続ワイヤの一部である、請求項１５に記載の装置。
【請求項１７】
流体に電磁場を通過させる方法であって、
コアの第１の縁部から前記コアの第２の縁部へ巻き付けられた第１の組の巻線と、前記コアの前記第２の縁部から前記コアの前記第１の縁部に巻き付けられた第２の組の巻線とを含む前記コアを提供することと、
流体が流れている導管に隣接して前記コアを配置することと、
前記巻線に電流を流すことと、を含む、方法。
【請求項１８】
前記コアを前記導管の形状に成形することをさらに含む、請求項１７に記載の方法。
【請求項１９】
前記コアを前記導管の周囲に巻き付けることをさらに含む、請求項１７に記載の方法。
【発明の詳細な説明】
【技術分野】
【０００１】
本明細書に記載の実施形態は、一般に、電磁場および電場を生成し、流体、ガスおよび細菌をこれらの電磁場および電場に暴露することに関し、より具体的には、電磁場および電場を生成して、微生物レベルを低下させ、かつ流体またはガス中の分子を配向するための装置に関する。
【背景技術】
【０００２】
パイプを流れる流体は、無機質、分子、巨大分子、および溶質が正しく配向されなくなる結果となる。例えば、パイプを流れる水は、一般に沈殿物からのスケールの形成をもたらす。スケールを除去するには、関連する細菌を処理するために有害な化学物質および殺生剤を使用する必要がある。この問題を解決することを目的とする他の装置は、パイプの切断、またはパイプの周囲へのワイヤの物理的な巻き付け、または電磁場および／または多方向振動場の使用を含み、例えば米国特許第８，４７７，００３号明細書に記載されている。
【０００３】
ヒトまたは動物体などの体に関しては、体液の不適切な循環のために炎症が起こりやすい。従来、循環または炎症の問題の治療には医薬品の使用が含まれる。しかし、これらの医薬品は、肝臓などの他の身体器官を徐々に破壊する可能性がある。
【０００４】
したがって、流体の流れを改善し、粘度を低下させ、微生物のレベルを低下させ、無機質、分子、巨大分子および溶質を流体中に配向して、化学物質を使用せずに流体を増強させるのに役立つ手段または装置が必要とされる。
【先行技術文献】
【特許文献】
【０００５】
【特許文献１】米国特許第８，４７７，００３号明細書
【発明の概要】
【０００６】
流れる流体に電場および／または電磁場をかけて無機質、分子、巨大分子および溶質を配向する装置、システムおよび方法を開示し、特許請求する。配向された材料は、沈殿物を形成するのではなく、溶液中に溶解しかつ懸濁したままである。一実施形態では、装置は、例えばコアの周囲のノッチ、ノッチからノッチまでコアの周囲に巻き付けられたゴムテープの第１の層、ゴムテープの上のコアの周囲に巻き付けられた磁気ワイヤ、磁気ワイヤの上のコアの周囲に巻き付けられたゴムテープの第２の層などの複数の受入位置を含んでもよく、その結果、磁気ワイヤは２層のゴムテープの間に挟持され、電源ワイヤは磁気ワイヤに取り付けられ、電源ワイヤは、電源と係合して装置に電力を供給するように構成される。特定の実施形態では、ワイヤは、単一方向のコアの周囲に単一方向に巻き付けられる。コアが柔軟であってもよいので、装置は、それが適用される物体の形状に適合することができる。装置が使用されている場合、装置は微生物のレベルを低下させる傾向があり、物体を流れているかまたは物体内に配置された流体中の無機質を配向して懸濁する傾向がある。
【０００７】
本開示の上記および他の利点および特徴が得られる方法を説明するために、簡潔に上述した本開示のより詳細な説明を、添付の図面に示す特定の実施形態を参照して行う。これらの図面は本開示の典型的な実施形態のみを描写しているので、その範囲を限定するものではないと理解されるものであり、本開示を、添付の図面を使用してさらなる具体性および詳細とともに記載しかつ説明する。
【図面の簡単な説明】
【０００８】
【図１Ａ】可撓性コア上に配置された複数のワイヤ受入位置用の受入部の一実施形態の正面図である。
【図１Ｂ】可撓性コア上に配置された複数のワイヤ受入位置用の受入部の一実施形態の背面図である。
【図２Ａ】図１Ａおよび図１Ｂのコアのノッチの形態の複数のワイヤ受入位置の一実施形態の正面図である。
【図２Ｂ】図１および図１Ｂのコアのノッチの形態の複数のワイヤ受入位置の一実施形態の背面図である。
【図３Ａ】ワイヤ受入位置の周囲に巻かれるかまたは巻き付けられたワイヤを保護し、かつ絶縁するための材料の配置の一実施形態の正面図である。
【図３Ｂ】ワイヤ受入位置の周囲に巻かれるかまたは巻き付けられたワイヤを保護し、かつ絶縁するための材料の配置の一実施形態の背面図である。
【図４Ａ】複数のワイヤ受入位置の周囲に巻かれたワイヤコイルの一実施形態の正面図である。
【図４Ｂ】複数のワイヤ受入位置の周囲に巻かれたワイヤコイルの一実施形態の背面図である。
【図５Ａ】ワイヤ受入位置の周囲に巻かれたワイヤを保護し、かつ絶縁するための材料の配置の一実施形態の正面図である。
【図５Ｂ】ワイヤ受入位置の周囲に巻かれたワイヤを保護し、かつ絶縁するための材料の配置の一実施形態の背面図である。
【図６Ａ】複数のワイヤ受入位置の周囲に巻かれたワイヤを電源に電気的に接続する一実施形態の正面図である。
【図６Ｂ】複数のワイヤ受入位置の周囲に巻かれたワイヤを電源に電気的に接続する一実施形態の背面図である。
【図７Ａ】装置を囲むカバーを提供する一実施形態の正面図である。
【図７Ｂ】装置を囲むカバーを提供する一実施形態の背面図である。
【図８】導管内の流体を処理するための導管の周囲に組み立てられた装置を配置する一実施形態を示す図である。
【図９】組み立てられた装置を身体部分の周囲に配置する一実施形態を示す図である。
【発明を実施するための形態】
【０００９】
以下の詳細な説明では、多くの詳細、例および実施形態について説明する。しかし、本出願は記載された実施形態に限定されず、本出願をいくつかの用途のいずれかに適合させることができることは、当業者にとって明らかである。
【００１０】
いくつかの実施形態では、本開示は、微生物のレベルを低下させ、流体中の分子を配向するために使用される装置に関する。この装置は、それが意図されるように機能することができる任意の適切な構成要素を含んでもよく、いくつかの実施形態では、装置は、コア、コア上の複数のワイヤ受入位置、絶縁材料、導電性材料製の巻線、および／または電源コードを含む。この可能な構成要素の一覧は単なる例示であり、この一覧を使用して本発明の装置をこれらの要素に限定することを意図するものではない。本開示に関連する当業者は、装置の本質的な機能または動作を変更することなく、本開示内で置換されてもよい等価要素が存在することを理解するであろう。開示された装置の様々な要素は以下の例示的な態様に関連してもよいが、様々な要素間の関係の範囲または性質を限定するものではなく、以下の例は単に例示的な例として提示される。
【００１１】
図１から図９を参照すると、電磁場を生成し、電場を生成し、磁場を生成し、溶媒中で溶質を処理し、微生物のレベルを低下させ、流体中の無機質を配向することのうちの１つ以上を実施する装置１が開示されている。装置１を製造し、組み立て、構成し、その他の方法で構築する方法も開示される。装置１を、水性溶媒および有機溶媒（例えばガソリン、他の石油系流体、無機溶媒、水性溶媒、塩水、淡水、および生物系などの水性流体）を含む様々な溶質において使用することができる。
【００１２】
図１Ａおよび図１Ｂは、基板またはコア１０を示す。図１Ａは、コア１０の正面図を示す。図１Ｂは、コア１０の背面図を示す。参照符号Ａは、図１Ａの正面図と図１Ｂの背面図との共通の角部を示す。コア１０は任意の適切な材料を含むことができるが、いくつかの実施形態では、コア１０はシートを含む。他の実施形態では、シートは柔軟であってもよい。コア１０は、固形体またはメッシュを含んでもよい。さらに他の実施形態では、金属メッシュの間隔は用途によって決定される。コア１０は、金属（例えば鉄系金属または非鉄金属）、ポリマー、セラミックなどの複合材料、またはこれらの材料の組み合わせを含んでもよい。コアは、コアモジュールを選択的に結合して所望の特性を含むコアを形成するモジュラーシステムを含んでもよい。コア１０は、亜鉛めっき金属板または可撓性金属メッシュなどの可撓性金属板を含んでもよい。コア１０は、前部１０Ａおよび後部１０Ｂを含むことができる。
【００１３】
いくつかの実施形態では、コア１０は、電荷を受け入れるかまたは維持する鉄などの磁性材料を含んでもよい。あるいは、コア１０は、亜鉛めっき板などのその他の所望の材料を含んでもよく、コア１０の組成は用途に依存してもよい。他の実施形態では、コア１０は略長方形であってもよい。さらに他の実施形態では、コア１０は、略円形、楕円形、三角形、または正方形などのその他の適切な形状を含む。
【００１４】
図２Ａおよび図２Ｂに示すように、コア１０は、コア１０の２つの対向する縁部の長さに沿って配置された複数の受入位置１２を有して略長方形で平坦であってもよい。図２Ａは、複数のノッチ１２を含むコア１０の正面図を示し、図２Ｂは、複数のノッチ１２を含むコア１０の背面図を示す。ノッチ１２の代替の実施形態は、ノッチ１２の変形（例えばフック、リップ、レッジ、クリップノッチ凹部などの突起、または巻線が固定される溶接部位またははんだ付け部位を含む他の表面形状）を含んでもよい。ノッチ１２は、ノッチ１２を形成するようにコア１０の一部を切り抜くかまたは打ち抜くことで形成されてもよい。別の実施形態では、鋳型または他の成形方法などの他の手段によって、受入位置１２を形成することができる。その結果、図２Ａおよび図２Ｂに示すように、ノッチ１２がコア１０の対向側付近に配置される。特定の実施形態では、上縁部および底縁部はノッチ１２を含んでもよい。ノッチ１２は、位置合わせされていてもよいし、オフセットされていてもよい。ノッチは、寸法が変化してもよく、または均一であってもよい。ノッチは、Ｖ字形を形成するための１つの角度を含んでもよいし、または複数の角度を含んでもよい。ノッチ１２の形状は、コア１０の周囲に巻き付けるために使用されるワイヤのゲージに適応するように構成されてもよい。ノッチ１２は、用途、ワイヤ寸法、電圧、およびコア寸法に応じて離間していてもよい。例えば、いくつかの実施形態では、ノッチ１２は、約２分の１インチから約３インチ離間して配置される。別の実施形態では、ノッチ１２は、コア１０の縁部に沿って等間隔に配置されてもよい。
【００１５】
ここで図３Ａおよび図３Ｂを参照すると、コア１０の表面に塗布されたコーティング１４を含む装置１が示されている。図３Ａは、コア１０に塗布されたコーティング１４の正面図を示し、図３Ｂは、コア１０に塗布されたコーティング１４の背面図を示す。いくつかの実施形態では、コーティング１４は、受入位置１２の間のコアの表面に沿った経路を連結するように被覆される。コーティング１４は任意の適切な絶縁材料を含むことができるが、いくつかの実施形態では、コーティング１４は、ノッチ１２からノッチ１２までコア１０の周囲に巻き付けられた絶縁ゴムテープなどの任意の適切な電気絶縁を含む。コーティング１４は、絶縁性（例えばゴム、プラスチック、ポリマー、セラミック、およびその他の類似の絶縁材料）を含む任意の材料を含んでもよい。コーティング１４を、ワイヤとコア１０との間の絶縁層として構成することができる。
【００１６】
いくつかの実施形態では、コーティング１４は、第１の縁部の第１のノッチ１２から第２の縁部の第１の対向ノッチ１２まで被覆され、第１の縁部の第１のノッチ１２に戻り、その後に第２の縁部の第２のノッチ１２に対角線方向に下向きに流れ、コーティング１４が全てのノッチ１２を覆うまでこのパターンが必要に応じて繰り返される。したがって、塗布されたコーティング１４は、図に示すように各垂直線を結ぶ対角線を含む垂直線として現れることがある。コーティング１４がコア１０に巻き付けられる回数は、コア１０の用途および寸法に依存してもよい。
【００１７】
ここで図４Ａおよび図４Ｂを参照すると、導電性材料を用いて巻線１６を形成することができる。図４Ａは、コーティング１４に巻き付けられた巻線１６の正面図を示し、図４Ｂは、コーティングに巻き付けられた巻線１６の背面図を示す。巻線１６は、第１の端部１８および第２の端部１９をさらに含むことができる。導電性材料は、ワイヤ、カーボンナノチューブ、単層カーボンナノチューブ、高分子導電体、または、電磁場、電場および／または磁場を発生させるために電流が流れることができるその他の材料を含んでもよい。巻線１６は、電力が巻線１６を介して導通される場合に電場、磁場および／または電磁場を生成することができる銅線などの電線であってもよい。巻線１６は、撚り線、非撚り線、または撚り線および非撚り線の２つの任意の組み合わせを含んでもよい。ワイヤは、任意の適切なまたは所望の導電性ワイヤまたは磁気ワイヤを含むことができる。用途に応じて、ワイヤの寸法および組成が変化することがある。
【００１８】
巻線１６は、任意の適切な態様でコア１０の周囲に巻き付けられてもよいが、いくつかの実施形態では、巻線１６は、直交する態様でコア１０の周囲に巻き付けられる。
【００１９】
あるいは、巻線１６は、コア１０の一方の側に完全に配置され、２つの直接対向する受入位置１２でコア１０に固定されてもよい。いくつかの実施形態では、巻線１６は、受入位置１２から受入位置１２へのコーティング１４の上のコア１０の周囲に導電性材料を巻き付けることによって形成され、コーティング１４は、コア１０と巻線１６との間に配置される。コア１０を覆うために使用されるパターンは、対向ノッチ１２の間の複数の巻き付けを含み、単一の対角ワイヤは、平行なノッチ１２の組を接続する。ワイヤは、隣接するノッチ１２を接続してもよく、または隣接していないノッチ１２を覆ってもよい。例えば、いくつかの巻線のための２つの正対向ノッチ１２の間に導電性材料を巻き付け、隣接する一対の正対向ノッチ１２へ対角線上に移行させ、隣接する一対の正対向ノッチ１２を覆い、巻線１６がノッチ１２の各々に巻き付けられるまでコア１０の長さにわたって継続することによって、巻線１６を配置することができる。
【００２０】
巻線１６のための好ましい巻き付けパターンは、ワイヤを２つの正対向ノッチの間でコアの周囲に時計回りに５回巻き付け、次いで、２つの正対向ノッチから対角線方向にコア１０を横切って次の隣接する一対の対向ノッチ１２に移行することを含んでもよく、この場合、ワイヤは、５回の巻き付けのために隣接する一対の対向ノッチの間に巻き付けられ、工程はコア１０の長さにわたって継続される。ワイヤを２つの整列したノッチ１２の間に複数回巻き付け、次いで、ワイヤが整列したノッチ１２の周囲に複数回巻き付けられる上方対角線方向のパターンで、ワイヤを下部ノッチから次の隣接する上部ノッチへ導くこのパターンは、整列した受入位置１２のノッチの組が、前側１０Ａの隣接するノッチを接続する単一のワイヤを含む巻線を有するまで繰り返される。
【００２１】
巻き付けパターンは、最後の巻線から第１の巻線まで繰り返される巻き付けパターンを含む同じ連続長のワイヤで継続し、ワイヤは、以前の巻線が形成された同じノッチ内で以前に配置された巻線に重なる巻線を形成するために使用される。巻き付けの段階では、隣接するノッチ１２を接続するワイヤは、上部ノッチ１２を接続し、コアの下方縁部のノッチ１２に対して下方対角線方向に延在する。コアの前部１０Ａの対角移行ワイヤおよびコアの後部１０Ｂの対角移行ワイヤは、「Ｘ」を形成しているように見えるが、２つのワイヤはコア１０の反対側にあって接触していないかまたは物理的に交差していない。この構成では、巻線を流れる電流は、コア１０の反対側で反対方向に流れる。
【００２２】
いくつかの実施形態では、巻き付けパターンは交互になったノッチの回りに巻き付けることを含んでもよいので、巻き付けパターンは対角線上にずれている。あるいは、対角移行の長さは複数の巻き付けを含んでもよく、または、ずれたノッチ間の巻き付けを接続するためにより長くてもよい。本開示は、コアに沿って任意の適切な態様で配置された巻線１６を含むコア１０を意図している。あるいは、コア１０のモジュールを巻線とともに所定の位置に形成してもよく、コア１０のモジュールは、本明細書に記載されたパターンと一致して接続され、電流がコアの前部１０Ａおよびコアの後部１０Ｂで反対方向に流れることを可能にする。
【００２３】
いくつかの実施形態では、２つの整列したノッチ１２の間の巻き付け数は、２回の巻き付けと２００回以上の巻き付けとの間で変動する可能性がある。別の実施形態では、所望の数の巻き付けが完了し、次の隣接するノッチ配列１２において巻き付けが継続され、その結果、単一のワイヤが２つのノッチ配列１２の間でコーティング１４を辿って、２つの新たなノッチ配列１２の間で巻き付けが繰り返される。このパターンは、巻き付けがコア１０の対向終縁部に達するまでコアの長さに沿って繰り返され、この場合、同じ巻き付けパターンが、コア１０の長さに沿って反対方向に繰り返される。
【００２４】
図４Ａおよび図４Ｂのコアの前部１０Ａおよびコアの後部１０Ｂに示されるように、ワイヤは、対向ノッチ１２の間で１回以上巻かれてコア１０に外接するワイヤコイルを形成する。次いで、ワイヤは、コア１０を次の隣接する対向ノッチ１２に向かって対角線上に通過し、この地点で、ワイヤは、再び対向ノッチ１２の間で１回以上巻かれてコア１０に外接する別のワイヤコイルを形成する。この巻き付けパターンは、ワイヤのコイルがコア１０の長さに沿って一対の対向ノッチ１２の各々の間に配置されるまで、コア１０の長さに沿って繰り返される。これにより、コア１０の周囲に巻き付けられた第１の組のワイヤコイルが生成される。第１の組のワイヤコイルを生成する場合、図４Ａに示すように、コアの前部１０Ａに示されるコア１０の同じ側においてワイヤ１６が次の隣接する対向ノッチ１２に向かって各対角線上を通過する可能性があり、この場合、対角ワイヤはコーティング１４の上を対角線上に通過する。
【００２５】
図４Ａおよび図４Ｂにさらに示すように、第１の組のワイヤコイルがコア１０の周囲に配置された後、ワイヤは、図４Ｂに示すようにコアの後部１０Ａを次の隣接する対向ノッチ１２に向かって対角線上に通過し、この地点で、ワイヤは再び対向ノッチ１２の間で１回以上巻かれて、コア１０に外接する別のワイヤコイルを反対方向に形成する。これは、ワイヤの別のコイルが反対方向にコア１０の長さに沿って各対向ノッチ１２の間に配置されるまで、コア１０の長さに沿って繰り返される。これにより、コア１０の周囲に巻き付けられた第２のまたは対向する組のワイヤコイルが生成される。第２の組または対向する組のワイヤコイルをコアの後部パネル１０Ｂを横切って生成する場合、例えば図４Ｂのコアの後部１０Ｂに示されるコアの同じ側においてワイヤが次の隣接する対向ノッチ１２に向かって各対角線上を通過する可能性があり、これは、対角移行ワイヤがコーティング１４の上を対角線上に通過することを示している。第１の組のワイヤコイルおよび第２の組または対向する組のワイヤコイルは、同じ２つの対向ノッチ１２の間で反対方向のワイヤを通る電力の流れをもたらす。
【００２６】
いくつかの実施形態では、ワイヤは、コイルの一端が周囲に巻かれる同じ縁部上の２つの隣接するノッチ１２を利用してコア１０の一方の側に巻き付けられ、コイルの他端は、コア１０の対向縁部上の２つの隣接するノッチ１２の周囲に巻き付けられる。他の実施形態では、柱、フックまたは他の隆起した部材、埋め込まれた部材、および／または取り付けられた部材がコア１０上に配置されて、コア１０の上または周囲にワイヤコイルを受け入れて保持する。
【００２７】
ここで図５Ａおよび図５Ｂを参照すると、巻線１６および対角線上の移行部を覆うように、コアの前部１０Ａおよびコアの後部１０Ｂにコーティング１４の第２の層を塗布することができる。図５Ａは巻線１６を覆うコーティング１４の正面図を示し、図４Ｂは巻線１６を覆うコーティング１４の背面図を示す。いくつかの実施形態では、巻線１６は、コーティング１４の２つの層の間に狭持されている。
【００２８】
ここで図６Ａおよび図６Ｂを参照すると、いくつかの実施形態では、電源ワイヤ２０が第１の端部１８および第２の端部１９に取り付けられて、巻線１６を電源３０に電気的に接続する。電源３０から第１の端部１８および第２の端部１９を通り、巻線１６を介して電力を導通するように電源ワイヤ２０を構成することができる。電源ワイヤ２０は、任意の適切な接続機構を使用して第１の端部１８および第２の端部１９に取り付けられてもよく、いくつかの実施形態では、第１の端部１８および第２の端部１９にはんだ付けされてもよい。電源ワイヤ２０は、電源３０と係合するように構成された任意のコードを含んでもよく、いくつかの実施形態では、用途に応じてＵＳＢコードまたは２１ｍｍのコードを備えてもよい。システムが機能するために大量の電力を必要としないので、電源３０は、低量の電力を提供するように構成された電源を備えることができる。例えば、電源３０は、約０．１アンペアで約３ボルトから約１５アンペアで約４０ボルトを供給する太陽光システムまたはその他の電力システムを備えることができる。他の実施形態では、電源３０は、最大約５０アンペアで最大約１０００ボルトを供給する電源を備える。
【００２９】
ここで図７Ａおよび図７Ｂを参照すると、いくつかの実施形態では、装置１はカバー４０をさらに含む。図７Ａは、カバー４０を含む装置１の正面図を示し、図７Ｂは、カバー４０を含む装置１の背面図を示す。カバー４０は、装置１を保護し、装置１を電気的に絶縁し、および／またはユーザがコーティング１４、巻線１６、第１の端部１８、第２の端部１９、またはコア１０のその他の部分に接触するのを防止するように構成された、任意の適切な材料を含むことができる。いくつかの実施形態では、カバー４０は可撓性材料を含む。カバー４０は、コアを保護するための任意の適切なカバーを含んでもよい。例えばいくつかの実施形態では、カバー４０は、用途に応じて、ゴム引きのコーティングもしくはヘッドライナ、または接着剤で接着されたその他の種類の材料を含んでもよい。
【００３０】
理論に束縛されるものではないが、装置は、競合する電磁場が流体中の沈降物と相互作用して粒子寸法を低減し、かつ溶液中に懸濁した粒子を活性化することを可能にする構成で機能すると考えられる。微粒子の寸法の低減は、スケール、妨害物、または、例えば蒸発冷却システムなどにおける流れを防止する他の現象をもたらすことなく流体が流れることを可能にする。粒子の活性化は、粒子が互いに結合して溶液から凝結することを防止する。これは、システム内に妨害物または他の障害物を形成することなく流れる過飽和溶液を生じる可能性がある。
【００３１】
いくつかの実施形態では、装置は、水、水中の他の無機質または導管内のあらゆる物質に電子を加えることによって機能する。他の実施形態では、装置は、水素イオン（Ｈ＋）の濃度を低下させることによってｐＨが増加するように電子を加えることによって機能する。場合によっては、装置は、電子を加えることによって水素イオンの濃度を低減する。他の場合には、装置は、物質に電子を加えてＣａ（カルシウム）およびその他の無機質を変化させて安定させる。Ｃａは、追加の電子を導入することによって安定化することができる陽イオンである。安定化されたカルシウムは凝集せず、粒子に安定化することができる。
【００３２】
いくつかの実施形態では、装置は、全ての溶液を懸濁液に安定化することによって機能する。場合によっては、装置は、分子を、溶液の代わりに懸濁状態にある粒子に安定化することができる。安定化を高めることによって、新たなレベルの過飽和を達成することができる。他の場合では、装置は、集束電子場を電磁場線に沿うビーム状のものとして使用して、導管内の水、無機質または他の物質に電子を導入することによって、ｐＨを安定したままにすることができる。
【００３３】
いくつかの実施形態では、細菌が装置の影響を受ける２つの方法がある。第１の方法は、電子ビームまたは電子エネルギーの場が細菌の細胞膜を破壊して、細菌を死滅させることができることである。第２の方法は、無機質を水中で安定化させ、それによって細菌がこれらの無機質を利用するのを防止することである。他の実施形態では、より複雑な生活形態として、藻類および植物が細胞による処理のために無機質を直接標的とすることができるので、装置は藻類または植物に影響を与えない。場合によっては、装置は、植物による無機質の吸収を促進するように無機質を安定化させて、より効率的な植物成長を促進することができる。
【００３４】
いくつかの実施形態では、装置は既存の硬水沈殿物を除去する。安定化効果または結晶化は、カルシウムを粒子にすることができる。他の実施形態では、装置は、水を溶液から懸濁液に変化させて、既存の沈殿物を除去することができる過飽和を可能にする。さらに他の実施形態では、既存の沈殿物は、束の加熱中の固体板スケールの亀裂のためにより脆くなる。いくつかの実施形態では、カルシウムが安定化され、これ以上金属に結合しないので、顆粒型の硬水沈殿物が落下する。他の実施形態では、金属は、腐食を防止し、かつカルシウムまたは他の陽イオンへの結合を防止するように加えられた電子によって補強される。
【００３５】
いくつかの実施形態では、装置は、処理された流体の熱エネルギー伝達率に影響を与える。例えば、水冷却塔では、塔によって放出される熱エネルギーが水の振動を増加させる。この振動は、沸騰によって分子の結合が分離して蒸気になるまで増加する。電子を加えることによって、装置は既存の結合を強化し、水が容易に蒸気にならないようにすることができる。これは、水がより多くの熱エネルギーを保持することを可能にし、それによって熱エネルギー伝達率を増加させる。
【００３６】
従来のシステムでは、細菌の増殖および／または水中の生物付着を防ぐために、水処理用の化学物質が使用されている。従来のシステムに化学物質を添加すると、水素イオン（Ｈ＋）の濃度は酸性域において高くなる。これらの添加化学物質は細菌または他の形態の生物付着を防止するが、酸性水は、パイプおよび他のシステムの腐食を引き起こす可能性がある。したがって、従来のシステムでは、腐食を防止するために腐食防止剤を添加する必要がある。場合によっては、添加された化学物質の適正量を得て腐食を防止すると同時に生物付着を防止するために微妙な均衡が取られることもある。いくつかの実施形態では、装置は、水を処理して細菌の増殖を制御し、かつ、添加された化学物質を必要とせずに生物付着を低減および／または防止する。
【００３７】
いくつかの実施形態では、装置は、電子の物理現象を介して機能する。電子の物理現象は電場線によってもたらされ、電磁場によって導かれる。装置が平坦である場合、ほとんど集束させずに電子を送ることができる。装置が湾曲している場合、電磁場は集束することができる。この物理現象は、誘電率および透磁率と呼ぶこともできる。場合によっては、（電子を吸収する）抵抗によって電気を停止することができる一方で、遮蔽のために磁気の方向を変える必要がある。装置が平坦な構成である場合、装置はコアの正（磁北）側で電子を放出し、コアの負（磁南）側から電子を吸収することができる。装置が湾曲している場合、装置の有益な効果を集約させることができる。電磁場の強度は、コアの端部が共に湾曲するにつれて増加させることができる。
【００３８】
いくつかの実施形態では、装置が円筒状に湾曲している場合、電磁場はリング磁石となる。磁力線に沿った指向性のある流れは、ここで南から北へ移動することができる。電子は、装置の北端から放出してビーム効果を生成することができる。コアの端部を互いに接近させることによって、電磁場を強めることができる。磁力線に沿った指向性のある流れは、ここで南から北へ移動している。電子は、装置の北端から放出してビーム効果を生成することができる。
【００３９】
いくつかの実施形態では、電磁力線に沿った電子の指向性のある流れは、集束電子場と呼ばれる電気力学的エネルギー効果をもたらす。他の実施形態では、集束電子場は、電気力学的場効果の導入からの脱イオン化および再結合による分子安定化を誘発する。
【００４０】
いくつかの実施形態では、この装置は、身体部分に使用される場合に健康上有益な影響を提供する。これらの健康上有益な影響には、より良好なカルシウムの吸収、腎臓結石の減少および／または予防、血液および／または他の体液の粘性の低下が含まれ、これにより、血流が増加し、治癒が早まり、疼痛管理が改善され、高濃度のイオンおよび潜在的な毒素が希釈され、身体による濾過が改善される。
【００４１】
いくつかの実施形態では、本明細書に記載の装置および方法を使用して、硬水軟化システムが改善される。場合によっては、この装置および方法を使用してナトリウムを含有する水を処理することができる。他の場合には、この装置および方法を使用して塩化ナトリウムを水酸化ナトリウムに変換することができる。さらに他の場合には、この装置および方法を使用して、水酸化ナトリウムを安定化させて危険性を低減することができる。塩化ナトリウムを水酸化ナトリウムに変換することによって、装置は塩水を処理することができる。場合によっては、この装置および方法を使用して、使用に適していなかった塩水を農業または灌漑に使用することができる有効水に再生することができる。
【００４２】
いくつかの実施形態では、装置全体は、任意の所望の寸法または必要な寸法を有してもよく、適用される物体の外形または内形を模倣するように成形可能であってもよい。場合によっては、防水であるように、および／または浸漬されるように装置を構成することができる。他の場合には、流体の流れの中で配向されるように装置を構成することができる。一般に、流体が流れる任意の導管の周囲に巻き付けることによって装置を使用することができる。巻線が流体の流れと平行になるように装置を巻き付けることができる。その後、装置には電源が投入されて、流れる流体に有益な効果をもたらすように導電部に浸入する電場および電磁場を生成する。有益な効果は、流体中の微生物レベルの低下、スケール沈積の低減および／または転換、流体の流れの改善、および、身体部分へ適用した場合の健康上の利益の改善を含むことができる。
【００４３】
いくつかの実施形態では、装置は、パイプなどの物体の周囲に巻き付けて、装置に電力を印加して物体を流れる流体中の無機質および／または沈殿物を配向するかまたは流体中に十分に懸濁させることによって、スケールおよび他の無機質の蓄積が、流体に接触する壁、パイプまたは他の機器に付着および／または蓄積することを防止するように適用される。他の実施形態では、装置を水処理に使用して、水の風味を増強し、塩含有硬水軟化システムを置き換え、および／または、塩の使用を低減して（例えば塩の使用を５０％低減して）塩含有硬水軟化剤を扱ってもよい。さらに他の実施形態では、装置は、処理水を植物成長のために使用することができるように水中のナトリウム結合を破壊してもよい。場合によっては、装置は身体に適用されて血流を増加させ、かつ炎症を低減する。他の場合には、装置は処理された流体中の細菌の増殖を低減する。
【００４４】
いくつかの実施形態では、コア１０は、操作によって流動系内のパイプなどの導管の外形に適合するように構成された可撓性材料を含む。他の実施形態では、コア１０は略平坦であってもよく、パイプ、導管またはグリーストラップの周囲に巻き付けられるような、意図される用途に望ましい寸法に適合されてもよい。さらに他の実施形態では、コア１０は、パイプまたは身体部分のような物体の形状に適合するように構成された任意の材料を含んでもよい。
【００４５】
図８を参照すると、いくつかの実施形態では、装置は、パイプなどの導管に適合するために可撓性であるように構成される。例えば、装置１は、パイプ５０のような導管の周囲に巻き付けられるように構成された可撓性材料を含むことができる。装置が作動されると、パイプ５０を流れる任意の流体は、これらに限定されないが、スケールの低減、微生物レベルの低下、および流体の流れの改善などの上述の有益な効果を経験することができる。場合によっては、装置は、丸められた態様または毛布のような態様でパイプ５０の周囲に巻き付けるように構成することができる。
【００４６】
図９を参照すると、いくつかの実施形態では、装置は、膝などの身体部分に巻き付くように構成された健康パッドとして構成されている。例えば、装置１は、膝６０のような身体部分の周囲に巻き付けられるように構成された可撓性材料を含むことができる。装置が作動されると、巻き付けられた身体部分は、限定されないが炎症の低減および血流の増加などの上述の有益な効果を経験することができる。場合によっては、装置は、丸められた態様または毛布のような態様で身体部分の周囲に巻き付けるように構成することができる。他の場合には、身体部分は、これらに限定されないが、足指、足、足首、脹脛、膝、大腿部、脚、腰、骨盤領域、腹部、胸部、上半身、肩、腕、前腕、手、首、またはその他の適切な身体部分を含むことができる。
【００４７】
いくつかの実施形態では、開示された装置および使用方法は、流体の処理を必要とする任意の用途に適している。例えば、装置および方法を、異なる身体部分に適用される健康パッドの形態で健康用途に使用することができる。場合によっては、この装置および方法を、水質の改善、微生物レベルの低下、スケールの低減、および水流の改善のうちの１つ以上のための水処理に使用することができる。他の場合には、装置および方法を、燃料効率の改善、燃料品質の改善、燃料不純物の低減、および燃焼の改善のうちの１つ以上のための燃料処理に使用することができる。さらに他の場合には、装置および方法を、スケールを低減し、流体の流れを改善し、および／または生物付着を低減することによって、流体の濾過に役立つように使用することができる。いくつかの場合、この装置および方法を、スケールを低減し、水流を改善し、微生物のレベルを低下させ、および生物付着を低減することによって、脱塩に適用することができる。他の例では、装置および方法を、水質を改善し、微生物レベルを低下させ、スケールを低減し、かつ水流を改善するための灌漑に適用することができる。さらに他の例では、装置および方法を、流体のｐＨ調整、水素生成、電気分解、および／または敷物洗浄に適用することができる。
【００４８】
いくつかの実施形態では、本出願は、電磁場誘導装置を開示しており、この電磁場誘導装置は、前側、後側、頂部、底部、第１の縁部、第２の縁部および複数のノッチを有するシートを含むコアと、コアの周囲に巻き付けられた導電性材料を含む巻線とを含み、巻線はコアに沿ってノッチに配置され、巻線は電流が巻線を流れることを可能にするように電気的に連絡している。他の実施形態では、コアは金属材料を含む。さらに他の実施形態では、コアは鉄系材料を含む。いくつかの実施形態では、コアはメッシュを含む。他の実施形態では、コアは、金属、セラミックおよびポリマーのうちの１つ以上を含む。さらに他の実施形態では、装置は、コアの表面上に絶縁性コーティングをさらに含む。いくつかの実施形態では、絶縁性コーティングは、導電性材料よりもコンダクタンスが低い。他の実施形態では、絶縁性コーティングは、対角線に接続された複数の垂直線を含むようにコアの表裏面に塗布される。さらに他の実施形態では、導電性材料はワイヤを含む。
【００４９】
いくつかの実施形態では、装置は、導電性材料を、第１の組の正対向ノッチにおいてコアの周囲に複数回にわたって直交方向に巻き付けることによって形成され、導電性材料がコアの前部からコアの後部まで単一の方向に巻き付けられている第１の巻線と、導電性材料を、第２の組の正対向ノッチにおいてコアの周囲に複数回にわたって直交方向に巻き付けることによって形成され、導電性材料がコアの前部からコアの後部まで単一の方向に巻き付けられている第２の巻線とをさらに含み、ここで、第１の巻線および第２の巻線は導電接続されている。
【００５０】
いくつかの実施形態では、ノッチは、導電性材料が第１の巻線を形成するように構成されたコアの縁部から延在する突起部を含み、導電性材料は、巻線が前記コアの１つの表面のみを占めるように、整列した第１の組の受入位置の周囲に巻き付けられ、導電性材料は第２の巻線を形成し、導電性材料は、巻線がコアの１つの表面のみを占めるように第２の組の正対向ノッチの周囲に巻き付けられ、第１の巻線および第２の巻線は導電接続されている。他の実施形態では、装置は、第１の長さのワイヤを２つのノッチの周囲に第１の方向に巻き付けることによって、少なくとも２つのノッチの周囲に配置された第１の長さのワイヤと、第２の長さのワイヤを同じ２つのワイヤ受入位置の周囲に第２の方向に巻き付けることによって、同じ２つのノッチの周囲に配置された第２の長さのワイヤとをさらに含む。さらに他の実施形態では、第１の方向は第２の方向に対向している。いくつかの実施形態では、第１の長さのワイヤおよび第２のワイヤは、いずれも連続ワイヤの一部である。
【００５１】
いくつかの実施形態では、本出願は、電磁場を生成するための装置を開示しており、この装置は、ノッチと、第１のワイヤの第１の部分を第１の組のノッチの周囲に巻き付けることによって第１のワイヤの第１の部分が第１の組のノッチの周囲に配置され、かつ、第１のワイヤの第２の部分を第２の組のワイヤ受入位置の周囲に巻き付けることによって第１のワイヤの第２の部分が第２の組のノッチの周囲に配置される、電流を導通することが可能な第１のワイヤと、第２のワイヤの第１の部分を第１の組のノッチの周囲に、第１の組のノッチの周囲への第１のワイヤの巻き付けに対向する方向に巻き付けることによって、第２のワイヤの第１の部分が第１の組のノッチの周囲に配置され、かつ、第２のワイヤの第２の部分を第２の組のノッチの周囲に、第２の組のノッチの周囲への第１のワイヤの巻き付けに対向する方向に巻き付けることによって、第２のワイヤの第２の部分が第２の組のノッチの周囲に配置される、電流を導通することが可能な第２のワイヤとを含む。他の実施形態では、第１のワイヤおよび第２のワイヤは、いずれも連続ワイヤの一部である。
【００５２】
いくつかの実施形態では、本出願は、流体に電磁場を通過させる方法を開示しており、コアの第１の縁部からコアの第２の縁部へ巻き付けられた第１の組の巻線、コアの前記第２の縁部からコアの第１の縁部に巻き付けられた第２の組の巻線とを含むコアを提供すること、コアを流体が流れている導管に隣接して配置すること、および巻線に電流を流すことを含む。他の実施形態では、この方法は、コアを導管の形状に成形することをさらに含む。さらに他の実施形態では、この方法は、コアを導管の周囲に巻き付けることをさらに含む。
【００５３】
本発明の上述の実施形態は、例示の目的で提示されたものであって、限定するものではない。本発明のこれらの実施形態を多くの具体的詳細を参照して記載してきたが、当業者は、本発明の精神から逸脱することなく本発明を他の特定の形態で具体化することができることを認識するであろう。したがって、当業者であれば、本発明は上述の例示的な詳細によって限定されるものではなく、むしろ添付の特許請求の範囲によって規定されることを理解するであろう。
【図１Ａ】
2018516467.tif 000003
【図１Ｂ】
2018516467.tif 000004
【図２Ａ】
2018516467.tif 000005
【図２Ｂ】
2018516467.tif 000006
【図３Ａ】
2018516467.tif 000007
【図３Ｂ】
2018516467.tif 000008
【図４Ａ】
2018516467.tif 000009
【図４Ｂ】
2018516467.tif 000010
【図５Ａ】
2018516467.tif 000011
【図５Ｂ】
2018516467.tif 000012
【図６Ａ】
2018516467.tif 000013
【図６Ｂ】
2018516467.tif 000014
【図７Ａ】
2018516467.tif 000015
【図７Ｂ】
2018516467.tif 000016
【図８】
2018516467.tif 000017
【図９】
2018516467.tif 000018
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
前側、後側、頂部、底部、第１の縁部、第２の縁部および複数のノッチを有するシートを含むコアと、
前記コアの周囲に巻き付けられた導電性材料を含む巻線と、を含み、
前記巻線は、前記コアに沿って前記ノッチに配置され、
前記巻線は、電流が前記巻線を流れることを可能にするように電気的に連絡している、電磁場誘導装置。
【請求項２】
前記コアが鉄系材料を含む、請求項１に記載の装置。
【請求項３】
前記コアの表面上に絶縁性コーティングをさらに含む、請求項１に記載の装置。
【請求項４】
第１の組の正対向ノッチにおいて、前記コアの周囲に複数回にわたって直交方向に前記導電性材料を巻き付けることによって形成された第１の巻線と、
第２の組の正対向ノッチにおいて、前記コアの周囲に複数回にわたって直交方向に前記導電性材料を巻き付けることによって形成された第２の巻線と、をさらに含み、
前記導電性材料は、前記コアの前部から前記コアの後部まで単一の方向に巻き付けられ、
前記導電性材料は、前記コアの前部から前記コアの後部まで単一の方向に巻き付けられ、
前記第１の巻線および前記第２の巻線は電気的に接続されている、請求項１に記載の装置。
【請求項５】
前記ノッチは、前記導電性材料が第１の巻線を形成するように構成された前記コアの縁部から延在する突起部を含み、
前記導電性材料は、前記巻線が前記コアの１つの表面のみを占めるように、整列した第１の組の受入位置の周囲に巻き付けられ、
前記導電性材料は、第２の巻線を形成し、
前記導電性材料は、前記巻線が前記コアの１つの表面のみを占めるように第２の組の正対向ノッチの周囲に巻き付けられ、
前記第１の巻線および前記第２の巻線は電気的に接続されている、請求項１に記載の装置。
【請求項６】
２つのノッチの周囲に第１の方向に巻き付けることによって、少なくとも２つのノッチの周囲に配置された第１の長さのワイヤと、
同じ２つのワイヤ受入位置の周囲に第２の方向に巻き付けることによって、同じ前記２つのノッチの周囲に配置された第２の長さのワイヤと、をさらに含む、請求項１に記載の装置。
【請求項７】
電磁場を生成するための装置であって、
複数のノッチと、
電流を導通することが可能な第１のワイヤと、
電流を導通することが可能な第２のワイヤと、を含み、
前記第１のワイヤの第１の部分を第１の組のノッチの周囲に巻き付けることによって、前記第１のワイヤの前記第１の部分が前記第１の組のノッチの周囲に配置され、かつ、
前記第１のワイヤの第２の部分を第２の組のワイヤ受入位置の周囲に巻き付けることによって、前記第１のワイヤの前記第２の部分が第２の組のノッチの周囲に配置され、
前記第２のワイヤの第１の部分を前記第１の組のノッチの周囲に、前記第１の組のノッチの周囲への前記第１のワイヤの巻き付けに対向する方向に巻き付けることによって、前記第２のワイヤの前記第１の部分が前記第１の組のノッチの周囲に配置され、かつ、
前記第２のワイヤの第２の部分を前記第２の組のノッチの周囲に、前記第２の組のノッチの周囲への前記第１のワイヤの巻き付けに対向する方向に巻き付けることによって、前記第２のワイヤの前記第２の部分が前記第２の組のノッチの周囲に配置される、装置。
【請求項８】
前記第１のワイヤおよび前記第２のワイヤは、いずれも連続ワイヤの一部である、請求項７に記載の装置。
【請求項９】
流体に電磁場を通過させる方法であって、
コアの第１の縁部から前記コアの第２の縁部へ巻き付けられた第１の組の巻線と、前記コアの前記第２の縁部から前記コアの前記第１の縁部に巻き付けられた第２の組の巻線と、を含む前記コアを提供することと、
前記コアを流体が流れている導管に隣接して配置することと、
前記巻線に電流を流すことと、を含む、方法。
【請求項１０】
前記コアを前記導管の周囲に巻き付けることをさらに含む、請求項９に記載の方法。
【国際調査報告】
2018516467.tif 000019
2018516467.tif 000020